(57)【特許請求の範囲】
【請求項１】
放電電極と対向電極との間でコロナ放電を発生させてマイナスイオンを発生させるマイナスイオン発生装置において、前記マイナスイオン発生装置における前記対向電極は平板状もしくは棒状であり、前記放電電極と前記対向電極とを収納するマイナスイオン発生装置下カバー側より、前記放電電極を構成する針部と前記対向電極とを相互に平行かつ同方向に立ち上がる様に設け、前記対向電極の先端を曲折させた曲折部を有することを特徴としたマイナスイオン発生装置。
【請求項２】
前記対向電極の曲折部は、前記対向電極の先端を前記放電電極側に向けて曲折してなり、かつ、前記曲折部の前記放電電極への最近接部に、前記放電電極側に山形をなす線形状の形状を設けることを特徴した請求項１に記載のマイナスイオン発生装置。
【発明の詳細な説明】
【技術分野】
【０００１】
本発明は、マイナスイオン発生装置に関し、特に対向電極に関するものである。
【背景技術】
【０００２】
従来のマイナスイオン発生装置は、図４に示すように集塵効率を上げるために放電電極の針を複数個、一定間隔で金属板に配置させることにより、コロナ放電を発生させて、集塵効率を向上させていた（例えば、特許文献１参照）。
【０００３】
上述のような構成のため、放電電極１７と対向電極１８は、その距離が一定に保たれ、安定した放電が行われ、また放電電極の突起を適切な間隔で配置することによって、放電電極と対向電極間に発生するコロナ放電電流をムラなく広げ、ここを通過する空気中に含まれる塵埃へ、効率的に帯電させることができ、集塵効率を向上させることができる。
【特許文献１】特開平５−１８４９６９号公報
【発明の開示】
【発明が解決しようとする課題】
【０００４】
電気集塵装置における集塵効率を向上させるためには、コロナ放電によって発生した電流中に含まれる電子とそこを通過する空気中に含まれる塵埃の衝突量を増加させることが必要である。塵埃の衝突量は、単位面積あたりに通過する電流を増加させる、あるいは電気集塵機の表面積を広げ、空気の通過量を増加させることが必要である。
【０００５】
しかしながら従来の構成においてコロナ放電の電流値を増加させるためには、印加する電圧を引き上げる必要があった。しかし必要以上に電圧を引き上げた場合、短絡による発火等の信頼性低下を招くため、一定の電圧下においてコロナ電流を増大させ、集塵効率を向上させる必要がある。
【０００６】
また電気集塵機の表面積を広げ、空気の通過量を増加させるには、図４において放電電極１７上に複数設置された突起の数が表面積に比例して増加するため、電気集塵機トータルとしてのコロナ電流値の増加を招き、電気集塵装置の供給電源に過大な負担を発生させることにより、電装品の必要スペック急騰によるコスト増大を招くという課題を有していた。
【０００７】
本発明は、上述のような課題を解決するためになされたものであり、対向電極を最適化することにより、一定電圧、一定電流下において発生するマイナスイオン量を最大化し、また安定した放電特性を有するマイナスイオン発生装置を得ることを目的とする。
【課題を解決するための手段】
【０００８】
上記課題を解決するために本発明のマイナスイオン発生装置は、放電電極と対向電極との間でコロナ放電を発生させてマイナスイオンを発生させるマイナスイオン発生装置において、前記マイナスイオン発生装置における対向電極は、平板状もしくは、棒状としたものである。
【０００９】
これによって、一定電圧、一定電流下において発生するマイナスイオン量を最大化し、また安定した放電特性を有するマイナスイオン発生装置を得ることができる。
【発明の効果】
【００１０】
本発明のマイナスイオン発生装置は、一定電圧、一定電流下において発生するマイナス
イオン量を最大化し、また安定した放電特性を有することができる。
【発明を実施するための最良の形態】
【００１１】
第１の発明は、放電電極と対向電極との間でコロナ放電を発生させてマイナスイオンを発生させるマイナスイオン発生装置において、前記マイナスイオン発生装置における対向電極は、平板状もしくは、棒状としたものである。
【００１２】
第２の発明は、特に、第１の発明の対向電極を、平板状もしくは、棒状の先端を曲折させた曲折部を有するものである。
【００１４】
第３の発明は、特に、第２の発明の対向電極の曲折部の先端を、先端を前記放電電極側に向けて曲折してなるものである。
【００１５】
第４の発明は、特に、第１の発明の対向電極の曲折部の放電電極への最近接部に、前記放電電極側に山形をなす線形状の形状を設けたものである。
【００１６】
以下、本発明の実施の形態について、図面を参照しながら説明する。なお、この実施の形態によって本発明が限定されるものではない。
【００１７】
（実施の形態１）
図１は、本発明の第１の実施の形態におけるマイナスイオン発生装置を示す斜視図である。図２は、本発明の第１の実施の形態におけるマイナスイオン発生装置の要部の分解斜視図である。図３は、本発明の第１の実施の形態におけるマイナスイオン発生装置の要部の組立て後の斜視図である。
【００１８】
図２および図３において、マイナスイオン発生装置１は、放電電極と対向電極とを収納するマイナスイオン発生装置下カバー側より、前記放電電極を構成する針部と前記対向電極とを相互に平行かつ同方向に立ち上がる様に設けている。また前記対向電極３は電気的に接地されている。２は、対向電極３と放電電極４とを収納するマイナスイオン発生装置下カバーである。
【００１９】
図２と図３に基づき、対向電極３と放電電極４の構成を説明する。
【００２０】
放電電極４は針部４Ａと金属板部４Ｂとからなり、金属板部４Ｂは金属板を打ち抜き加工で製作されるものである。金属板部４Ｂには高圧電線が接続される接続部５と、締結ネジ（図示せず）でマイナスイオン発生装置下カバー２と締結される締結部６とを備えている。なお、針部４Ａと金属板部４Ｂはマイナスイオン発生装置下カバー２に収納されるときには、各々が電気的に接続状態となる。
【００２１】
対向電極３は電極部３Ａと金属板部３Ｂとからなり、電極部３Ａと金属板部３Ｂは平板上の金属板を打ち抜き加工で一体に製作され、電極部３Ａは曲げ加工により植立するものである。金属板部３Ｂには高圧電線が接続される接続部７と、締結ネジ（図示せず）でマイナスイオン発生装置下カバー２と締結される締結部８とを備えている。対向電極の電極部における曲折部は、その先端を前記放電電極側に向けて曲折させている。さらに詳述すれば、前記曲折部の前記放電電極への最近接部に、前記放電電極側に山形をなす線形状の形状を設けている。なお、放電電極４と対向電極３とがマイナスイオン発生装置下カバー２に収納されるときには、各々は所定の距離だけ離間して配置されると共に、放電電極４の針部４Ａ先端の高さ位置は、対向電極３の電極部３Ａの先端の高さ位置と比較して垂直方向において高くなっている。
【００２２】
以上のように構成されたマイナスイオン発生装置において、対向電極３を平板状の構成とすることにより、放電電極から放電されるコロナ放電により発生するマイナスイオンが多くなるものである。特に、放電電極４の曲折部３Ｃは、前記対向電極３の先端を前記放電電極４側に向けて曲折してなり、かつ、前記曲折部３Ｃの前記放電電極４への最近接部に、前記放電電極４側に山形をなす線形状の形状を設けているため、マイナスイオンが多く発生するものである。従来、一般的なマイナスイオンの発生量としては、３００，０００個／ＣＣであったが、本実施の形態によるマイナスイオンの発生量は、１，０００，０００個／ＣＣ以上を確認した。さらに、一定電流値におけるコロナ電流値を大幅に低下させることになり、オゾンの発生がなく、安定したマイナスイオン量を得ることができるものである。
【００２３】
なお、本実施の形態では電極部３Ａを平板状としたが、棒状の形状としても良いものであり、棒状の先端を本実施の形態と同様に曲折させて曲折部を形成しても良いものである。この時、放電電極４の針部４Ａと対向する最近接部の曲折部は点形状となるものである。
【産業上の利用可能性】
【００２４】
以上のように、本発明にかかるマイナスイオン発生装置は、一定電圧、一定電流下において発生するマイナスイオン量を最大化し、また安定した放電特性を有することができるので、電気集塵装置等の用途に利用可能である。
【図面の簡単な説明】
【００２５】
【図１】本発明の第１の実施の形態におけるマイナスイオン発生装置を示す斜視図
【図２】本発明の第１の実施の形態におけるマイナスイオン発生装置の要部の分解斜視図
【図３】本発明の第１の実施の形態におけるマイナスイオン発生装置の要部斜視図
【図４】従来の電気集塵装置を示す要部斜視図
【符号の説明】
【００２６】
１  マイナスイオン発生装置
２  マイナスイオン発生装置下カバー
３  対向電極
３Ａ  電極部
３Ｂ  金属板部
３Ｃ  曲折部
４  放電電極
４Ａ  針部
【図１】
0004736700.tif 000002
【図２】
0004736700.tif 000003
【図３】
0004736700.tif 000004
【図４】
0004736700.tif 000005